(57)【要約】【課題】占有帯域幅Ｗ１に帯域制限するアナログフィルタと、占有帯域幅Ｗ１と占有帯域幅Ｗ２とに帯域制限するデジタルフィルタを備えることにより、地上デジタルテレビジョン放送と地上デジタル音声放送とを受信することができるデジタル放送受信機を提供する。【解決手段】デジタル放送受信機１００が備えるアナログフィルタ１０４は、地上デジタルテレビジョン放送の１チャネル（１３セグメント）分の占有帯域幅Ｗ１に帯域制限する。【選択図】図６
2008085501.tif 000002
【特許請求の範囲】
【請求項１】
第１の占有帯域幅を有する第１の高周波数信号を、第１の中間周波数信号に周波数変換し、又は、前記第１の占有帯域幅より狭い第２の占有帯域幅を有する第２の高周波数信号を、第２の中間周波数信号に周波数変換して出力する周波数変換部と、
前記周波数変換部から出力される前記第１の中間周波数信号、又は、前記周波数変換部から出力される前記第２の中間周波数信号を、前記第１の占有帯域幅に帯域制限するアナログフィルタと、
帯域制限された前記第１の中間周波数信号、又は、帯域制限された前記第２の中間周波数信号をデジタル信号に変換して出力するＡ／Ｄ変換部と、
デジタル信号に変換された前記第１の中間周波数信号が入力された場合には、前記第１の占有帯域幅に帯域制限し、又、帯域制限された前記第２の中間周波数信号が入力された場合には、前記第２の占有帯域幅に帯域制限するデジタルフィルタと
を備えることを特徴とするデジタル放送受信機。
【請求項２】
前記周波数変換部は、前記第２の高周波数信号に隣接する干渉波信号に応じて、前記第２の中間周波数信号の周波数を変更する
ことを特徴とする請求項１記載のデジタル放送受信機。
【請求項３】
前記第１の高周波数信号、又は、前記第２の高周波数信号は、複数の放送チャネルの周波数領域のＯＦＤＭ信号が一括して逆フーリエ変換されたＯＦＤＭ信号である
ことを特徴とする請求項１又は２記載のデジタル放送受信機。
【発明の詳細な説明】
【技術分野】
【０００１】
本発明は、地上デジタル放送を受信するデジタル放送受信機に関する。
【背景技術】
【０００２】
近年、本格的なデジタル放送時代が到来しつつあり、変調方式としてＯＦＤＭ（Orthogonal Frequency Division Multiplexing：直交周波数分割多重）方式を採用した地上デジタル放送が開始されている。即ち、地上デジタルテレビジョン放送が、ＵＨＦ帯を使用して２００３年１２月から開始され、更に、地上デジタル音声放送の実験放送が、ＶＨＦ帯を使用した２０１１年からの放送に向けて開始された。
【０００３】
図１（a）は、地上デジタルテレビジョン放送の周波数の構成を、図１（b）は、地上デジタル音声放送の周波数の構成を示す模式図である。
【０００４】
地上デジタルテレビジョン放送のＩＳＤＢ−Ｔ(Integrated Services Digital Broadcasting - Terrestrial)規格では、６ＭＨｚの占有帯域幅Ｗ１を１３セグメントに分割し、１つの放送チャネルを１３セグメントとして、セグメント毎に搬送波の変調方式等を変更できる階層伝送が採用されている（例えば、非特許文献１参照）。
【０００５】
地上デジタル音声放送のＩＳＤＢ−ＴＳＢ（integrated services digital broadcasting terrestrial for sound broadcasting）規格では、地上デジタルテレビジョン放送の占有帯域幅Ｗ１より狭い４ＭＨｚの占有帯域幅Ｗ２を８セグメントに分割し、１つの放送チャネルを１又は３セグメントとして、複数の放送チャネルの周波数領域のＯＦＤＭ信号の中心周波数をそれぞれ変更して、これらを周波数方向に多重化し、複数の周波数領域のＯＦＤＭ信号を一括してＩＦＦＴ（Inverse Fast Fourier Transform：逆高速フーリエ変換）することで、８セグメントを「連結送信」する方式が採用される予定である（例えば、非特許文献２参照）。
【０００６】
ここで、デジタル放送受信機が、地上デジタルテレビジョン放送の１３セグメント分の帯域幅に帯域制限する広帯域通過フィルタと、地上デジタル音声放送の３セグメント分の帯域幅に帯域制限する狭帯域通過フィルタとの、二種類のアナログフィルタを備えることにより、両放送における受信希望セグメントのみを選択できることが知られている（例えば、特許文献１参照）。
【非特許文献１】映像情報メディア学会誌Vol.52、No.11,pp1562-1566(1998)
【非特許文献２】映像情報メディア学会誌Vol.53、No.11,pp1467-1471(1999)
【特許文献１】特開２００６−１１５１４９号公報
【発明の開示】
【発明が解決しようとする課題】
【０００７】
このように、特許文献１に開示されたデジタル放送受信機は、地上デジタルテレビジョン放送と地上デジタル音声放送とにおける受信希望セグメント分の帯域幅に帯域制限する、少なくとも二種類のアナログフィルタを備える必要がある。
【０００８】
しかしながら、デジタル放送受信機が備えるアナログフィルタの数が増えると、製造コストが増加するだけでなく、部品実装面積が増加することにより、装置の小型化及び携帯端末等への実装が困難となる。
【０００９】
そこで、本発明は、上記の問題に鑑みてなされたものであり、占有帯域幅Ｗ１に帯域制限するアナログフィルタと、占有帯域幅Ｗ１と占有帯域幅Ｗ２とに帯域制限するデジタルフィルタを備えることにより、地上デジタルテレビジョン放送と地上デジタル音声放送とを受信することができるデジタル放送受信機を提供することを目的とする。
【課題を解決するための手段】
【００１０】
本発明の第１の特徴に係るデジタル放送受信機は、第１の占有帯域幅を有する第１の高周波数信号を、第１の中間周波数信号に周波数変換し、又は、前記第１の占有帯域幅より狭い第２の占有帯域幅を有する第２の高周波数信号を、第２の中間周波数信号に周波数変換する周波数変換部と、前記周波数変換部から出力される前記第１の中間周波数信号、又は、前記周波数変換部から出力される前記第２の中間周波数信号を、前記第１の占有帯域幅に帯域制限するアナログフィルタと、帯域制限された前記第１の中間周波数信号が入力された場合には、該第１の中間周波数信号を、前記第１の占有帯域幅に帯域制限し、又、帯域制限された前記第２の中間周波数信号が入力された場合には、該第２の中間周波数信号を、前記第２の占有帯域幅に帯域制限するデジタルフィルタとを備えることを要旨とする。
【００１１】
本発明の第１の特徴に係るデジタル放送受信機によると、地上デジタルテレビジョン放送と地上デジタル音声放送とを受信するために、広い占有帯域幅に帯域制限するアナログフィルタと、広い占有帯域幅と狭い占有帯域幅とに帯域制限するデジタルフィルタとを備えれば足りるため、アナログ部品点数を少なくすることができ、製造コストの削減、装置の小型化及び携帯端末等への実装を実現することができる。
【００１２】
本発明の第２の特徴は、前記第１の特徴に係り、前記周波数変換部は、前記第２の高周波数信号に隣接する干渉波信号に応じて、前記第２の中間周波数信号の周波数を変更することが好ましい。
【００１３】
本発明の第２の特徴に係るデジタル放送受信機によると、隣接する干渉波信号のアナログフィルタ通過量を軽減できるため、アナログフィルタにおけるフィルタリング性能を向上することができ、干渉波の影響を軽減することができる。
【００１４】
本発明の第３の特徴は、前記第１乃至第２の特徴に係り、前記第１の高周波数信号、又は、前記第２の高周波数信号は、複数の放送チャネルの周波数領域のＯＦＤＭ信号が一括して逆フーリエ変換されたＯＦＤＭ信号であることを要旨とする。
【００１５】
本発明の第３の特徴に係るデジタル放送受信機によると、複数の放送チャネルの周波数領域のＯＦＤＭ信号がアナログフィルタ及びデジタルフィルタを通過することができるため、複数チャネルのマルチ受信を可能とし、マルチ番組出力、裏番組の録画、裏番組データ放送の蓄積及び視聴チャネルの変更に伴う切換え動作の時間短縮が実現される。
【発明の効果】
【００１６】
本発明によれば、地上デジタルテレビジョン放送と地上デジタル音声放送とを受信することのできる、アナログ部品点数が少ないデジタル放送受信機を提供することができる。
【発明を実施するための最良の形態】
【００１７】
[実施形態]
次に、本発明の実施形態について説明する。尚、以下の図面の記載において、同一又は類似の部分には、同一又は類似の符号を付している。ただし、図面は模式的なものであり、各寸法の比率等は現実のものとは異なることに留意すべきである。
【００１８】
従って、具体的な寸法等は以下の説明を参酌して判断すべきものである。又、図面相互間においても互いの寸法の関係や比率が異なる部分が含まれていることは勿論である。
【００１９】
図２乃至図５を用いてデジタル放送受信機について概説し、次いで図６乃至図９を用いて本発明の要部について詳説する。
【００２０】
《デジタル放送受信機についての概説》
図２は、本実施形態に係るデジタル放送受信機の概略ブロック構成図である。本実施形態に係るデジタル放送受信機１００は、地上デジタルテレビジョン放送及び地上デジタル音声放送においてＯＦＤＭ変調方式により送信される高周波（ＲＦ）信号の全帯域において受信処理を行うことができる。
【００２１】
本実施形態に係るデジタル放送受信機１００は、図２に示すように、チューナ１０、受信前段処理部２０及び受信後段処理部３０とから構成される。尚、以下は、本発明と関連のある主要な部分についての概説であるため、デジタル放送受信機１００は、図示しない又は説明を省略する必須ブロック（例えば、電源部）を備える場合があることに留意されたい。
【００２２】
チューナ部１０は、放送局においてＯＦＤＭ変調されたＲＦ信号に対して、増幅、周波数変換、アナログフィルタによるフィルタリング等の処理を行い、中間周波（ＩＦ）信号、又は、ＩＦ信号がさらに周波数変換されたＬｏｗ−ＩＦ信号を出力する。本実施形態において、チューナ部１０から出力されるＩＦ信号は、地上デジタルテレビジョン放送のＲＦ信号が有する占有帯域幅Ｗ１に帯域制限されている。尚、チューナ部１０は、本発明の要部であるため後に詳説する。
【００２３】
受信前段処理部２０は、Ａ／Ｄ変換部２１、インタポレータ部２２、ヒルベルト変換部２３、同期部２４、ＦＦＴ部２５、ＡＦＣ２６及び等化部２７から構成される。
【００２４】
Ａ／Ｄ変換部２１は、チューナ部１０から出力されるアナログＩＦ信号をデジタルＩＦ信号に変換して出力する。
【００２５】
インタポレータ部２２は、入力されるデジタルＩＦ信号を、非同期サンプリングから同期サンプリングに変換する。又、同時に、所望の帯域幅に帯域制限するデジタルフィルタの役目も果たす。本実施形態に係るデジタルフィルタは、地上デジタルテレビジョン放送に係るデジタルＩＦ信号が入力された場合には、地上デジタルテレビジョン放送のＲＦ信号が有する占有帯域幅Ｗ１（６ＭＨｚ）に帯域制限する。一方、地上デジタル音声放送に係るデジタルＩＦ信号が入力された場合には、連結送信された地上デジタル音声放送のＲＦ信号が有する占有帯域幅Ｗ２に帯域制限する。デジタルフィルタにおける帯域制限幅の制御は、フィルタ係数を変更することにより実行される。このような制御は、ユーザが、地上デジタルテレビジョン放送と地上デジタル音声放送との、いずれの放送チャネルの受信を希望するかに応じて、インタポレータ部２２や制御部（不図示）が行うことができる。
【００２６】
尚、本実施形態では、チューナ１０から出力される地上デジタル音声放送に係るＩＦ信号は、地上デジタルテレビジョン放送のＲＦ信号が有する占有帯域幅Ｗ１に帯域制限されているため、若干の性能劣化を引き起こしやすいが、デジタルフィルタのタップ数を増加し急峻な帯域制限を施すことで性能劣化を回避できる。又、デジタルフィルタのタップ数の増加に伴うデジタル回路規模の拡大による、実装面積への影響は小さい。
【００２７】
ヒルベルト変換部２３は、ヒルベルト変換により、実軸（Ｉ軸）成分の信号と、虚軸（Ｑ軸）成分の信号とを生成する。
【００２８】
同期部２４は、シンボル同期、クロック同期を行う。又、同期部２４は、放送局とデジタル放送受信機１００間の周波数発信器の周波数偏差に対して、キャリア間隔以内の狭帯域周波数同期を行う。
【００２９】
ＦＦＴ部２５は、入力信号に対してＦＦＴ処理を行い、時間軸上のデータを周波数軸上のデータに変換する。
【００３０】
ＡＦＣ２６は、ＦＦＴ部２５から出力された信号から、放送局とデジタル放送受信機１００間の周波数発信器の周波数偏差に対して、キャリア間隔単位の広帯域周波数同期を行い、フレーム先頭を検出する。
【００３１】
等化部２７は、伝送路特性等によりデジタル放送受信機１００における信号の振幅や位相が、放送局における振幅や位相と等しくなるように等化を実施する。図３は、等化部２７の詳細ブロック構成図である。具体的に、等化部２７は、振幅や位相が既知のスキャッタードパイロットＳＰを生成し、図４に示すＯＦＤＭシンボル列Ｆ１から抽出されたＳＰを生成したＳＰにより除算して得られる伝送路情報Ｈに基づいて、データＲの伝送路特性を時間方向及び周波数方向で補間し、等化後データＲ／Ｈを出力する。
【００３２】
以上説明した受信前段処理は、地上デジタルテレビジョン放送の１３セグメント分のＩＦ信号、又は、地上デジタル音声放送の８セグメント分のＩＦ信号に対して施される。
【００３３】
一方、次に説明する受信後段処理部３０は、本実施形態では、地上デジタルテレビジョン放送の１チャネル（１３セグメント）分のＩＦ信号、又は、地上デジタル音声放送の１チャネル（１セグメント又は３セグメント）分のＩＦ信号に対して施される。
【００３４】
受信後段処理部３０は、ＴＭＣＣ復号部３１、周波数デインタリーブ部３２、時間デインタリーブ部３３、デマッピング部３４、ビットインタリーブ部３５、ビタビ復号部３６、バイトデインタリーブ部３７、エネルギー拡散部３８、ＲＳ復号部３９、デコード部４０及びＤ／Ａ変換部４１から構成される。
【００３５】
ＴＭＣＣ復号部３１は、各種伝送パラメータを含むＴＭＣＣ（Transmission and Multiplexing Configuration Control）信号を復号する。
【００３６】
周波数デインタリーブ部３２は、ＲＦ信号の反射などによる特定周波数の信号の欠落を補うために施された周波数インタリーブを元に戻す処理を行う。又、時間デインタリーブ部３３は、フェージング対策等のために施された時間インタリーブを元に戻す処理を行う。
【００３７】
デマッピング部３４は、コンスタレーション上で、時間デインタリーブが施されたＩ軸成分の信号及びＱ軸成分の信号で表される受信点から最も近い基準点と、その基準点から受信点までの距離及び方向を求める（図５（a）及び（b）参照）。
【００３８】
ビットデインタリーブ部３５は、誤り耐性向上のために施されたビットインタリーブを解除する。ビタビ復号部３６は、放送局で施された畳込み符号を用いて誤り訂正を行う。その後、ビタビ復号が行われた信号には、バイトデインタリーブ部３７におけるバイトインタリーブの解除、エネルギー拡散部３８におけるエネルギー拡散、ＲＳ復号部３９におけるＲＳ（Reed Solomon）復号が施され、誤り訂正されたＴＳ（Transport Stream）として出力される。
【００３９】
出力されたＴＳは、デコード部４０においてＭＰＥＧデコード処理やＨ．２６４デコード処理が施された後、Ｄ／Ａ変換部４１においてアナログ信号へ変換されて、映像信号や音声信号として出力される。
【００４０】
以上により受信後段処理が完了する。
【００４１】
《チューナ部１０についての詳説》
次に、本発明の要部に係るチューナ部１０について説明する。図６は、  チューナ部１０の詳細ブロック構成図である。尚、図６（a）は、スーパーヘテロダイン方式を採用する場合を示し、図６（b）は、周波数変換を２回行うダブルスーパーヘテロダイン方式を採用する場合を示す。尚、チューナ部１０は、スーパーヘテロダイン方式とダブルスーパーヘテロダイン方式のいずれを採用してもよい。
【００４２】
〈スーパーヘテロダイン方式の場合〉
図６（a）に示すように、スーパーヘテロダイン方式を採用した場合、チューナ部１０は、ＢＰＦ１０１、ＡＭＰ１０２、周波数変換部１０３、アナログフィルタ１０４及びＡＭＰ１０５を備える。
【００４３】
ＢＰＦ１０１は、ユーザが、地上デジタルテレビジョン放送の受信を希望する場合、又は、地上デジタル音声放送の受信を希望する場合において、所望の帯域以外のＲＦ信号を取り除くＢＰＦ（band pass filter）である。尚、ＢＰＦ１０１を通過するＲＦ信号は、ユーザが受信を希望するチャネルに係るＲＦ信号のみではないが、説明を煩雑にしないために、地上デジタルテレビジョン放送又は地上デジタル音声放送に係るＲＦ信号に焦点を当てて説明する。
【００４４】
ＡＭＰ１０２は、ＢＰＦ１０１を通過したＲＦ信号を低雑音で増幅し出力する。
【００４５】
周波数変換部１０３は、ミキサ、ＶＣＯ（Voltage Controlled Oscillator）、ＰＬＬ（Phase Locked Loop）から構成される。周波数変換部１０３は、ＡＭＰ１０２から入力される、地上デジタルテレビジョン放送の１チャネル（１３セグメント）分の占有帯域幅Ｗ１を有するＲＦ信号（以下、「第１のＲＦ信号」という。）をＩＦ信号（以下、「第１のＩＦ信号」という。）に周波数変換し、又は、地上デジタル音声放送の全チャネル（８セグメント）分の占有帯域幅Ｗ２を有するＲＦ信号（以下、「第２のＲＦ信号」という。）をＩＦ信号（以下、「第２のＩＦ信号」という。）に周波数変換して出力する。
【００４６】
具体的に、周波数変換部１０３は、ＶＣＯが発生する、ＰＬＬにより一定に制御されたローカル発振周波数信号と、ＡＭＰ１０２から入力される第１又は第２のＲＦ信号とを、ミキサで混合して、第１又は第２のＩＦ信号に変換する。尚、本実施形態では、ＩＦ信号の周波数は５７ＭＨｚである。
【００４７】
アナログフィルタ１０４は、周波数変換部１０３から出力される第１又は第２のＩＦ信号を、占有帯域幅Ｗ１に帯域制限する。本実施形態では、アナログフィルタ１０４としてＳＡＷフィルタを用いる。
【００４８】
本発明に係るデジタル放送受信機１００は、当該１種類のアナログフィルタを備え、第１のＩＦ信号が入力された場合であっても、又、第２のＩＦ信号が入力された場合であっても、占有帯域幅Ｗ１に帯域制限する。即ち、本発明において、アナログフィルタ１０４は、地上デジタルテレビジョン放送及び地上デジタル音声放送の両放送の受信について共用される。従って、アナログフィルタ１０４を通過した第１又は第２のＩＦ信号は、占有帯域幅Ｗ１を有する。
【００４９】
ＡＭＰ１０５は、アナログフィルタ１０４を通過した第１又は第２のＩＦ信号を、Ａ／Ｄ変換部に入力できる電圧まで増幅させて出力する。
【００５０】
以上で、スーパーヘテロダイン方式を採用するチューナ１０における増幅、周波数変換、フィルタリングの処理を完了し、周波数が５７ＭＨｚである、第１又は第２のＩＦ信号を出力する。
【００５１】
〈ダブルスーパーヘテロダイン方式の場合〉
次に、図６（b）に示すように、ダブルスーパーヘテロダイン方式を採用する場合、チューナ部１０は、図６（a）の構成に加えて、周波数変換部１０６、ＢＰＦ１０７及びＡＭＰ１０８を備える。ＡＭＰ１０５までの動作は、スーパーヘテロダイン方式を採用する場合と同様であるため説明を省略する。
【００５２】
周波数変換部１０６は、ミキサ、ＶＣＯ、ＰＬＬから構成される。周波数変換部１０６は、ＡＭＰ１０５から入力される、第１又は第２のＩＦ信号を周波数変換し、４ＭＨｚの周波数までダウンコンバートされた第１のＬｏｗ−ＩＦ信号又は第２のＬｏｗ−ＩＦ信号を出力する。
【００５３】
ＢＰＦ１０７は、周波数変換部１０６から出力されるＬｏｗ−ＩＦ信号を、再度、第１のＲＦ信号が有する占有帯域幅に帯域制限するＢＰＦである。本発明に係るデジタル放送受信機１００は、ＢＰＦ１０７を１種類のみ備え、第１のＬｏｗ−ＩＦ信号が入力された場合であっても、又、第２のＬｏｗ−ＩＦ信号が入力された場合であっても、占有帯域幅Ｗ１に帯域制限する。即ち、本発明において、ＢＰＦ１０７は、地上デジタルテレビジョン放送及び地上デジタル音声放送の両放送の受信について共用される。従って、ＢＰＦ１０７を通過した第１又は第２のＬｏｗ−ＩＦ信号は、占有帯域幅Ｗ１を有する。
【００５４】
ＡＭＰ１０８は、ＢＰＦ１０７を通過した第１又は第２のＬｏｗ−ＩＦ信号を、Ａ／Ｄ変換部に入力できる電圧まで増幅させて出力する。
【００５５】
以上で、ダブルスーパーヘテロダイン方式を採用するチューナ１０における、増幅、周波数変換、フィルタリングの処理を完了し、周波数が４ＭＨｚである、第１又は第２のＬｏｗ−ＩＦ信号を出力する。
【００５６】
《周波数変換及びフィルタリングの様子》
次に、本実施形態に係る周波数変換及びフィルタリングについて、図７及び図８を用いて説明する。
【００５７】
図７は、第１又は第２のＲＦ信号が周波数変換される様子を模式的に示した図である。図７（a）に示すように、ＵＨＦ帯又はＶＨＦ帯のＲＦ信号がＢＰＦ１０１を通過する。尚、周波数軸上の上下に隣接する放送チャネルは、ＵＨＦ帯の場合は、地上デジタルテレビジョン放送の他の放送チャネルであり、ＶＨＦ帯の場合は、地上アナログテレビジョン放送の放送チャネルである。このように、地上デジタル音声放送と隣接して地上アナログテレビジョン放送が存在するのは、地上アナログテレビジョン放送の空きチャネルであるＶＨＦ７チャネルを使用して地上デジタル音声放送が開始される予定だからである。
【００５８】
次に、ＢＰＦ１０１を通過したＲＦ信号は、周波数変換部１０３においてＩＦ信号に変換され、図７（b）に示すように、アナログフィルタ１０４において、第１のＲＦ信号の占有帯域幅Ｗ１に帯域制限される。
【００５９】
図７（c）は、ダブルスーパーヘテロダイン方式を採用した場合に、ＢＰＦ１０７においてフィルタリングされたＬｏｗ−ＩＦ信号を示す。
【００６０】
図８は、アナログフィルタ１０４で帯域制限された第１又は第２のＩＦ信号が、その後、インタポレータ部２２内のデジタルフィルタにおいて所望の帯域幅に帯域制限される様子を模式的に示す。
【００６１】
具体的に、図８（a）は、第１のＩＦ信号が、アナログフィルタ１０４において、第１のＲＦ信号が有する占有帯域幅Ｗ１、即ち、地上デジタルテレビジョン放送の１チャネル（１３セグメント）分の占有帯域幅に帯域制限された後、インタポレータ部２２内のデジタルフィルタにおいて、再度、第１のＲＦ信号の占有帯域幅Ｗ１に帯域制限される様子を示す。又、図８（b）は、第２のＩＦ信号が、アナログフィルタ１０４において、第１のＲＦ信号が有する占有帯域幅Ｗ１に帯域制限された後、インタポレータ部２２内のデジタルフィルタにおいて、第２のＲＦ信号が有する占有帯域幅Ｗ２、即ち、地上デジタル音声放送の全チャネル（８セグメント）分の占有帯域幅に帯域制限される様子を示す。
【００６２】
《アナログフィルタ１０４における干渉波の除去について》
地上デジタル音声放送に隣接して地上アナログテレビジョン放送が存在するところ、アナログフィルタ１０４は、地上デジタル音声放送の占有帯域幅Ｗ２より広い、地上デジタルテレビジョン放送の占有帯域幅Ｗ１で帯域制限するため、隣接する地上アナログテレビジョン放送のＲＦ信号までもが、アナログフィルタ１０４を通過するおそれがある。図９（a）は、周波数軸上の上側に隣接する地上アナログテレビジョン放送の映像搬送波と、周波数軸上の下側に隣接する地上アナログテレビジョン放送の音声搬送波とが、アナログフィルタ１０４を通過する様子を示す。このような、隣接する放送チャネルのＲＦ信号は、ユーザが受信を希望するＲＦ信号の干渉波となり、フィルタリング性能の低下を招く。
【００６３】
そこで、本実施形態に係るアナログフィルタ１０４は、干渉波の影響を軽減して、アナログフィルタにおけるフィルタリング性能を向上させるため、第２のＩＦ信号の周波数を変更する。
【００６４】
具体的には、周波数変換部１０３内のＶＣＯから発生されるローカル発振周波数を制御して、第２のＩＦ信号の周波数を周波数軸上で上下させることにより、干渉波をアナログフィルタ１０４により取り除く。図９（b）は、干渉レベルがより大きい、周波数軸上の上側に隣接する地上アナログテレビジョン放送の映像搬送波（干渉波）がアナログフィルタ１０４を通過しないように、第２のＩＦ信号の周波数が調整され、上側隣接チャネルが取り除かれる様子を示す。
【００６５】
ローカル発振周波数の制御は、干渉波信号の有無、又は、干渉レベルの大小に応じて行われる。このような制御は、受信地域別の干渉波信号の周波数管理テーブルに基づき、制御部（不図示）が画一的にローカル発振周波数の制御を行ってもよいし、又、干渉波検出部（不図示）の検出結果に基づき、その都度、制御部がローカル発振周波数の制御を行ってもよい。
【００６６】
（実施形態の変更例１）
上記実施形態では、ＶＣＯにおけるローカル発振周波数の制御を行っているが、ローカル発振周波数の制御は必ずしも行わなくてよい。
【００６７】
特に、ＶＨＦ帯における地上アナログテレビジョン放送は、２０１１年に停波される予定であり、この場合、アナログフィルタ１０４において取り除くべき干渉レベルの大きい干渉波はなくなるため、ローカル発振周波数の制御を行う必要はなくなる。
【００６８】
（実施形態の変更例２）
上記実施形態では、１つの受信後段処理部３０が受信後段処理を行っているが、本実施形態に係るデジタル放送受信機１００は、複数の受信後段処理部３０を備えることができる。
【００６９】
本実施形態に係るデジタル放送受信機１００では、地上デジタル音声放送の全チャネル（８セグメント）分のＲＦ信号について受信前段処理を施しているため、受信後段処理部３０を複数備え、複数チャネルに係るＩＦ信号について並列的に受信後段処理を行うことにより、地上デジタル音声放送のマルチ受信が可能となる。
【００７０】
尚、各デインタリーブ部には、１３セグメント分のＩＦ信号を処理できるメモリが実装されているため、地上デジタル音声放送をマルチ受信するためのメモリを別途実装する必要はない。
【００７１】
（実施形態の変更例３）
上記実施形態では、インタポレータ部２２がデジタルフィルタの機能をも果たしているが、別途、デジタルフィルタ部（不図示）を備えることができる。
【００７２】
この場合、Ａ／Ｄ変換部２１とインタポレータ部との間、又は、インタポレータ部２２とヒルベルト変換部２３との間にデジタルフィルタ部を配置する。インタポレータ部２２は、入力されるデジタルＩＦ信号を、非同期サンプリングから同期サンプリングに変換する。デジタルフィルタ部は、地上デジタルテレビジョン放送に係るデジタルＩＦ信号が入力された場合には、地上デジタルテレビジョン放送の占有帯域幅Ｗ１に帯域制限し、地上デジタル音声放送に係るデジタルＩＦ信号が入力された場合には、地上デジタル音声放送の占有帯域幅Ｗ２に帯域制限する。
【００７３】
［作用及び効果］
従来のデジタル放送受信機は、地上デジタルテレビジョン放送と地上デジタル音声放送との両放送を受信するために、広帯域通過フィルタと狭帯域通過フィルタとの２種類のアナログフィルタを備える必要があった。
【００７４】
これに対し、本実施形態に係るデジタル放送受信機１００によれば、地上デジタルテレビジョン放送と地上デジタル音声放送とを受信するために、広い占有帯域幅Ｗ１に帯域制限するアナログフィルタと、広い占有帯域幅Ｗ１と狭い占有帯域幅Ｗ２とに帯域制限するデジタルフィルタとを備えれば足りるため、アナログ部品点数を少なくすることができ、製造コストの削減、装置の小型化及び携帯端末等への実装を実現することができる。又、ダブルスーパーヘテロダイン方式を採用した場合であっても、広い占有帯域幅に帯域制限するアナログフィルタ１０４及びＢＰＦ１０７を備えれば足りるため、同様に、製造コストの削減、装置の小型化及び携帯端末等への実装を実現することができる。
【００７５】
又、本実施形態に係るデジタル放送受信機１００によれば、連結送信される地上デジタル音声放送の全チャネル（８セグメント）分のＩＦ信号について受信前段処理を行っているため、視聴チャネルの変更に伴う切換え動作の時間短縮が実現できる。
【００７６】
又、本実施形態に係るデジタル放送受信機１００によれば、ローカル発振周波数を制御することにより、干渉波の影響が軽減し、アナログフィルタ１０４におけるフィルタリング性能を向上することができる。
【００７７】
又、本実施形態の変更例２に係るデジタル放送受信機１００によれば、受信後段処理部３０を複数備えることにより、地上デジタル音声放送のマルチ受信が可能となり、マルチ番組出力、裏番組の録画、裏番組データ放送の蓄積が実現される。
【００７８】
［その他の実施形態］
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００７９】
例えば、上記実施形態では、地上デジタルテレビジョン放送のＲＦ信号の方が、地上デジタル音声放送のＲＦ信号より広い占有帯域幅Ｗ１を有する予定であるため、地上デジタルテレビジョン放送のＲＦ信号を第１のＲＦ信号として説明したが、将来的に、地上デジタル音声放送のＲＦ信号の占有帯域幅Ｗ２の方が広くなった場合には、地上デジタル音声放送のＲＦ信号を第１のＲＦ信号として考えることができる。
【００８０】
又、上記実施形態では、地上デジタル音声放送では、占有帯域幅Ｗ２（４ＭＨｚ）を８セグメントに分割するものとして記載したが、現段階において占有帯域幅Ｗ２及びセグメント数は未定であり、地上デジタルテレビジョン放送の占有帯域幅Ｗ１（６ＭＨｚ）より広い占有帯域幅を１４セグメント以上に分割する場合であっても、又、４ＭＨｚより狭い占有帯域幅を７セグメント以下に分割する場合であってもよい。
【００８１】
又、上記実施形態では、受信前段処理部２０において、連結送信される地上デジタル音声放送に係る８セグメント分のＩＦ信号を処理することとしたが、１チャネル分のＩＦ信号のみを処理することとしてもよい。この場合、インタポレータ部２２内のデジタルフィルタにおいて、ＩＦ信号の帯域制限幅を１チャネル分に設定すればよい。
【００８２】
又、上記実施形態では、ＴＭＣＣ復号部３１は、等化部２７の後に配置したが、ＡＦＣ２６と一体としてもよい。
【００８３】
又、上記実施形態では、アナログフィルタ１０４として、ＳＡＷフィルタを用いたが、セラミックフィルタ、クリスタルフィルタ、メカニカルフィルタ等を用いることができる。
【００８４】
又、上記実施形態では、ダブルスーパーヘテロダイン方式を採用する場合に、ＢＰＦ１０７を用いたが、ＬＰＦ（LOW PASS FILTER）を代用することができる。
【００８５】
又、上記実施形態では、地上デジタル音声放送の上下隣接チャネルとして、地上アナログテレビジョン放送を例示したが、将来的には、地上デジタル音声放送であってもよい。
【図面の簡単な説明】
【００８６】
【図１】従来の地上デジタルテレビジョン放送と地上デジタル音声放送との周波数の構成を示す模式図である。
【図２】本発明の実施形態に係るデジタル放送受信機の概略ブロック構成図である。
【図３】本発明の実施形態に係る等化部の詳細ブロック構成図である。
【図４】本発明の実施形態に係るＯＦＤＭシンボル列の構成例を示す図である。
【図５】本発明の実施形態に係るＱＰＳＫコンスタレーション及び１６ＱＡＭコンスタレーションの模式図である。
【図６】本発明の実施形態に係るチューナ部の詳細ブロック構成図である。
【図７】本発明の実施形態に係るＲＦ信号の周波数変換を示す図である。
【図８】本発明の実施形態に係るＩＦ信号のフィルタリングを示す図である。
【図９】本発明の実施形態に係るローカル発信周波数を制御されたＩＦ信号のフィルタリングを示す図である。
【符号の説明】
【００８７】
１０…チューナ部、２０…受信前段処理部、２１…Ａ／Ｄ変換部、２２…インタポレータ部、２３…ヒルベルト変換部、２４…同期部、２５…ＦＦＴ部、２６…ＡＦＣ、２７…等化部、３０…受信後段処理部、３１…ＴＭＣＣ復号部、３２…周波数デインタリーブ部、３３…時間デインタリーブ部、３４…デマッピング部、３５…ビットデインタリーブ部、３６…ビタビ復号部、３７…バイトデインタリーブ部、３８…エネルギー拡散部、３９…ＲＳ復号部、４０…デコード部、４１…Ｄ／Ａ変換部、１００…デジタル放送受信機、１０１…ＢＰＦ、１０２…ＡＭＰ、１０３…周波数変換部、１０４…ＢＰＦ、１０５…ＡＭＰ、１０６…周波数変換部、１０７…ＢＰＦ、１０８…ＡＭＰ、Ｗ１…地上デジタルテレビジョン放送の占有帯域幅、Ｗ２…地上デジタルラジオ放送の占有帯域幅、Ｆ１…ＯＦＤＭシンボル列、ＳＰ…スキャッタードパイロット、Ｈ…伝搬路情報、Ｒ…データ、Ｒ／Ｈ…等化後データ
【図１】
2008085501.tif 000003
【図２】
2008085501.tif 000004
【図３】
2008085501.tif 000005
【図４】
2008085501.tif 000006
【図５】
2008085501.tif 000007
【図６】
2008085501.tif 000008
【図７】
2008085501.tif 000009
【図８】
2008085501.tif 000010
【図９】
2008085501.tif 000011